(57)【要約】【課題】部品点数の増加を抑えることができるうえ、構造が簡素化され、しかも使い勝手に優れた歯列矯正用のインプラント治具を提供する。【解決手段】長尺状を呈するベースプレート１の長手方向の一方側に所定の間隔を保って口腔内の顎骨等の骨にねじ込まれるスクリュー１０ａ，１０ｂの取付孔２ａ，２ｂ，２ｃが複数個設けられ、その長手方向の他方側の端部側に補助プレート２０を着脱自在に取り付ける取付部３が設けられるベースプレート１であって、このベースプレート１の長手方向の他方側には、そのプレート部分の屈曲を助ける切欠部４ａ，４ｂ，４ｃが設けられていることを特徴とする。【選択図】図１
2014200430.tif 000002
【特許請求の範囲】
【請求項１】
プレート形状をなすとともに、一端に口腔内の顎骨等の骨にねじ込まれるスクリューの取付孔が複数個設けられ、他端に歯列矯正に用いる上部構造体を着脱自在に取り付ける取付部が設けられ、
前記取付孔と前記取付部との間には、プレート部分を任意の方向に向けて屈曲させるための切欠部が形成されていることを特徴とする歯列矯正用のインプラント治具。
【請求項２】
前記プレート部分が長尺状を呈し、その長手方向の一端側に前記取付孔が設けられ、前記長手方向の他端側に前記取付部が設けられていることを特徴とする請求項１に記載の歯列矯正用のインプラント治具。
【請求項３】
前記切欠部は、前記プレート部分の表面及び裏面の少なくとも一方に、屈曲させる方向に直交する方向全体にわたって肉薄に形成されていることを特徴とする請求項１又は２に記載の歯列矯正用のインプラント治具。
【請求項４】
前記切欠部は、プレート部分の所定箇所の幅寸法を小さくして形成されていることを特徴とする請求項１乃至３のいずれか１項に記載の歯列矯正用のインプラント治具。
【発明の詳細な説明】
【技術分野】
【０００１】
本発明は、例えば、口腔内の顎骨等の骨にねじ止めされるベースプレートを用いた歯列矯正用のインプラント治具に関する。
【背景技術】
【０００２】
従来、歯列の矯正は、矯正の対象でない特定の歯を固定源とし、その固定源の歯と矯正しようとする歯との間で張力を働かせ、矯正しようとする歯を移動させるようにしていた。しかしこの矯正方法は、矯正の対象でない特定の歯にも引張力が働くために、その特定の歯も移動してしまうことがあった。そこで、特許文献１では、口腔内の顎骨等の骨にねじ止めされるインプラントボディを用いる歯列矯正インプラントが提案されている。この特許文献１に示される歯列矯正は、口蓋骨にねじ込められるインプラントボディの先端部にワイヤーが設けられ、そのワイヤーの端部が矯正される歯に固定されるように構成されている。
【０００３】
上記特許文献１の歯列矯正は、矯正の対象でない特定の歯に引張力が加わらないので、その特定の歯が移動しないという特長があるとともに、インプラントボディの口蓋骨への取り付けにおいて切開手術を行うことなくねじ込めで行えるという特徴を有している。しかし、この特許文献１の歯列矯正は、インプラントボディのねじ込みが不十分であったり、インプラントボディにねじが緩む方向の力が作用したときにねじ込み力が弱くなって安定性が損なわれたりするという問題点を有していた。
そこで、特許文献２では、一対のスクリューを用いる歯列矯正用のインプラント構造が提案されている。
【０００４】
上記特許文献２の歯列矯正では、所定の間隔を保って口腔内の顎骨等の骨にねじ込まれる２本のスクリューを用いてベースプレートを固定するようにしている。そして、その固定されたベースプレートに上部構造がねじ止めされ、その上部構造体を介して歯が矯正されるようにしている。
【先行技術文献】
【特許文献】
【０００５】
【特許文献１】特開２００４−５７７２９号公報
【特許文献２】特許第４６８０２０９号公報
【発明の概要】
【発明が解決しようとする課題】
【０００６】
しかしながら、従来の上記スクリューを用いる歯列矯正用のインプラント治具では、一対のスクリューを用いてベースプレートが口蓋骨に固定されるので、一度ねじ込まれたスクリューが緩むことがなく、安定性の優れた歯列矯正用のインプラント治具を実現することができるが、ベースプレートが上部構造体を支持するためだけに使用されるために、上部構造体が複雑化しやすく、また、部品点数が多くなるという欠点があった。
【０００７】
本発明は、上述する問題点に鑑みてなされたもので、部品点数の増加を抑えることができるうえ、構造が簡素化され、しかも使い勝手に優れた歯列矯正用のインプラント治具を提供することを目的とする。
【課題を解決するための手段】
【０００８】
上記目的を達成するため、本発明に係る歯列矯正用のインプラント治具は、プレート形状をなすとともに、一端に口腔内の顎骨等の骨にねじ込まれるスクリューの取付孔が複数個設けられ、他端に歯列矯正に用いる上部構造体を着脱自在に取り付ける取付部が設けられ、取付孔と取付部との間には、プレート部分を任意の方向に向けて屈曲させるための切欠部が形成されていることを特徴としている。
【０００９】
本発明では、プレート部分の取付孔と前記取付部との間に形成されている切欠部の部分を中心にして当該プレート部分を任意の方向に向けて屈曲させることができるため、取付部に取り付けられる上部構造体の所望の姿勢に合わせて、取付部の位置や向きを適宜変えることが可能となる。そのため、インプラント治具を口腔内の顎骨に固定した後に、上部構造体の形状や用途に合わせて前記取付部の位置を調整することができる。例えばインプラント治具の固定位置が所定の位置とずれた場合であっても、取付部の位置を容易に変更することができるので、インプラント治具を上部構造体に合わせて高い精度で位置決めして固定する必要がなく、大まかな位置に固定すれば良いこととなる。したがって、これらの作業が簡単になり、作業効率を向上させることができ、手間と時間を低減することが可能なる。
【００１０】
また、プレート部分における切欠部の形成位置、向き、形成箇所数を変えることで、インプラント治具を所望の形状に屈曲させることができる。
さらに、従来のように部品点数を増やさずに、上部構造体を所定の姿勢に位置決めすることができるので、複雑な構造にならず、コストの低減を図ることができる。
【００１１】
また、本発明に係る歯列矯正用のインプラント治具では、プレート部分が長尺状を呈し、その長手方向の一端側に取付孔が設けられ、長手方向の他端側に取付部が設けられていることが好ましい。
【００１２】
この場合には、プレート部分が長尺状の簡単な形状であることから、製造及び加工が容易となるうえ、顎骨に固定する際の取り扱いも容易になるという利点がある。
【００１３】
また、本発明に係る歯列矯正用のインプラント治具では、切欠部は、プレート部分の表面及び裏面の少なくとも一方に、屈曲させる方向に直交する方向全体にわたって肉薄に形成されていることが好ましい。
【００１４】
このように構成することで、切欠部によって薄肉に形成された箇所が屈曲部となり、プレート部分を表面及び裏面の少なくとも一方に向けて屈曲させることができる。
【００１５】
また、本発明に係る歯列矯正用のインプラント治具では、切欠部は、プレート部分の所定箇所の幅寸法を小さくして形成されていてもよい。
【００１６】
この場合、プレート部分の幅寸法が小さく形成されている箇所を中心にしてプレート部分を屈曲させることができる。
【発明の効果】
【００１７】
本発明の歯列矯正用のインプラント治具によれば、プレート部分を切欠部を利用して屈曲させることができるので、部品点数を増加させることなく所望の形状に容易に形成することができる。
また、本発明では、プレート部分を切欠部の箇所で確実に、かつ容易に屈曲させることができるので、使い勝手に優れ、施術が容易になるという効果を奏する。
【図面の簡単な説明】
【００１８】
【図１】本発明の第１の実施の形態による歯列矯正用のインプラント構造の分解図である。
【図２】図１に示すインプラント構造のうちベースプレートの平面図である。
【図３】図２に示すＸ−Ｘ線断面図である。
【図４】ベースプレートの斜視図である。
【図５】ベースプレートを屈曲させた状態の斜視図である。
【図６】ベースプレートを屈曲させた状態の側面図である。
【図７】ベースプレートに補助プレートを取り付けた状態の斜視図である。
【図８】ベースプレートに補助プレートを取り付けた状態を示し、ベースプレートの表面側から見た上面図である。
【図９】ベースプレートに補助プレートを取り付けた状態を示し、ベースプレートの長手方向の一端側から見た正面図である。
【図１０】ベースプレートに補助プレートを取り付けた状態を示す右側面図である。
【図１１】第２の実施の形態による歯列矯正用のインプラント治具の斜視図である。
【図１２】図１１に示すインプラント治具の上面図である。
【発明を実施するための形態】
【００１９】
以下、本発明の実施の形態による歯列矯正用のインプラント治具について、図面に基づいて説明する。なお、本発明は、この実施の形態により限定されるものではなく、また、下記の実施の形態における構成要素には、当業者が置換可能かつ容易なもの、あるいは実質的に同一ものも含まれる。
【００２０】
（第１の実施の形態）
本実施の形態による歯列矯正用のベースプレート１（インプラント治具）は、歯列矯正に用いられるインプラント構造Ａ１に含まれている。図１に示すように、インプラント構造Ａ１は、図１に示されるように、前記ベースプレート１、スクリュー１０ａ，１０ｂ、補助プレート２０（上部構造体）、及びビス３０を備えている。
【００２１】
図１〜図４に示すように、ベースプレート１は、チタンやチタン合金等の人体に害にならない金属製からなり、その全体形状は、所定の肉厚を有する長尺状（帯状体）を呈している。そして、その長手方向のほぼ半分の部分には、長手方向に所定の間隔を保って複数（図示の例では３個）の取付孔２ａ，２ｂ，２ｃが設けられている。ここで、ベースプレート１において、口腔内の顎骨に固定した状態で、その骨に対向する側の面を裏面といい、その反対の面を表面という。
【００２２】
これら取付孔２ａ，２ｂ，２ｃの設けられている箇所は幅広に形成されていて、所定径の孔が設けられるようになっている。また、これら取付孔２ａ，２ｂ，２ｃには、後述するように、皿ビスからなるスクリュー１０ａ，１０ｂが挿入されるので、取付孔２ａ，２ｂ，２ｃの断面形状は、周知の皿ビス用の取付孔と同様に、皿ビスの頭部に対応した形状に形成されている。
【００２３】
なお、このベースプレート１の実寸法は、製品型式によって相違するが、例えば、板厚が１ｍｍ、長さが３５ｍｍ、取付孔２ａ，２ｂ，２ｃの穴径が２．２ｍｍ、取付孔２ａ，２ｂ，２ｃ及び後述の取付部３の箇所を除いた箇所の幅が２ｍｍとされる。
【００２４】
ベースプレート１の長手方向において、取付孔２ａ，２ｂ，２ｃが設けられている側と反対側の端部側には、後述する補助プレート２０を取り付ける取付部３がベースプレート１と一体的に設けられている。この取付部３は、スクリュー１０ａ，１０ｂが挿入される面側である表面側、すなわち、図１においてベースプレート１の上面側に少し突出して肉厚に形成されている。そして、その突出の周囲は、等間隔に複数個（図示の例では８個）の突起を有する星形に形成され、さらに、その星形の中心には、ベースプレート１を貫通するように雌ねじ３ａが設けられている。この雌ねじ３ａは、ビス３０の雄ねじ３０ａが螺合できるように決められている。
【００２５】
ベースプレート１の表面には、取付孔２ａ，２ｂ，２ｃと取付部３との間で、かつ、取付孔２ａ，２ｂ，２ｃ寄り、すなわち取付孔２ｃの隣には、ベースプレート１の幅方向全体にわたってベースプレート１の板厚を薄くして形成された第１切欠部４ａが設けられている。つまり、第１切欠部４ａは、プレート部分の表面に、屈曲させる方向（図１の矢印（ｘ１））に直交する方向全体にわたって肉薄に形成されている。
この場合、ベースプレート１の取付孔２ａ，２ｂ，２ｃを固定して取付部３側に図１の矢印（ｘ１）方向に力を加えることで、つまり取付部３をベースプレート１の表面側に向けて力を加えることで、ベースプレート１を、第１切欠部４ａの箇所を中心にして表面側に向けて屈曲させることができる（図５、図６及び図７参照）。
【００２６】
また、ベースプレート１の裏面には、取付孔２ａ，２ｂ，２ｃと取付部３との間で、かつ、取付部３寄り、すなわち取付部３の隣には、ベースプレート１の幅方向全体にわたってベースプレート１の板厚を薄くして形成された第２切欠部４ｂが設けられている。つまり、第２切欠部４ｂは、プレート部分の裏面に、屈曲させる方向（図１の矢印（ｘ２））に直交する方向全体にわたって肉薄に形成されている。
この場合、ベースプレート１の取付孔２ａ，２ｂ，２ｃを固定して取付部３側に図１の矢印（ｘ２）方向に力を加えることで、つまり取付部３をベースプレート１の裏面側に向けて力を加えることで、ベースプレート１を、第２切欠部４ｂの箇所を中心にして裏面側に向けて屈曲させることができる。
【００２７】
さらに、ベースプレート１の側面には、第１切欠部４ａと第２切欠部４ｂとの間で、かつ、第１切欠部４ａ寄り、すなわち第１切欠部４ａの隣には、ベースプレート１の幅寸法が両側から小さくなるようして形成された一対の第３切欠部４ｃが設けられている。つまり、一対の第３切欠部４ｃは、互いにベースプレート１の幅方向に対向する位置に設けられており、それら第３切欠部４ｃ同士の間に、ベースプレート１の幅寸法を狭くした狭小部４ｄが形成されている。
【００２８】
この場合、ベースプレート１の取付孔２ａ，２ｂ，２ｃを固定して取付部３側に図２の矢印（ｘ３）方向に力を加えることで、ベースプレート１を、第３切欠部４ｃの箇所を中心にして取付部３側を時計方向側（図２の矢印（ｘ３）方向側）に屈曲させることができ、またベースプレート１の取付孔２ａ，２ｂ，２ｃを固定して取付部３側に図２の矢印（ｘ４）方向に力を加えることで、ベースプレート１を、第３切欠部４ｃの箇所を中心にして取付部３側を反時計方向側（図２の矢印（ｘ４）方向側）に屈曲させることができる。すなわち、ベースプレート１は、表面側を上にして見た上面視で、狭小部４ｄを中心にして右側又は左側に屈曲自在となっている。
【００２９】
図１に示すように、スクリュー１０ａ，１０ｂは同一構成であるので、ここではスクリュー１０ａを例に説明する。
スクリュー１０ａは、チタン又はチタン合金製等の人体に害にならない金属製からなるとともに、ねじ立ての必要のないタッピングネジで形成されている。そして、このスクリュー１０ａの頭部は、皿ビス状に形成され、ベースプレート１の取付孔２ａ，２ｂ，２ｃに嵌合できるように形成され、また、スクリュー径は、取付孔２ａ，２ｂ，２ｃに挿入できるように決められている。さらに、スクリュー長さは、口腔内の顎骨等の骨内に所定深さ入り込むことができるように決められている。
【００３０】
図１、図７、及び図８に示すように、補助プレート２０は、ＳＵＳ（ステンレス）等の人体に害にならない金属製又は合成樹脂製の板材からなり、その全体形状は、所定の肉厚を有する帯状体を呈していて、その長手方向の一端側には基部２１が設けられている。そしてその基部２１には、図１に示すように、ベースプレート１に設けられている取付部３の星形に形成されている突起に対応した挿入孔２１ａが設けられている。
【００３１】
この場合、補助プレート２０の挿入孔２１ａがベースプレート１の取付部３に挿入されたときは、そり挿入時の角度を保つことができる。図２に示すように、取付部３は、突起数が８個の星形に形成されているので、４５度の角度でベースプレート１に対する取付部３の取り付け角度を変えることができる。
【００３２】
補助プレート２０の基部２１の長手方向の反対側には、例えば矯正用ブラケットやワイヤーが電気ろう着等によって固着されたり、その矯正用ブラケットを介してワイヤーやエラスティックス等が接続される。したがって、この補助プレート２０の長さ等の形状、寸法は、矯正される歯によって適宜選択される。
【００３３】
図１に示すように、ビス３０は、ベースプレート１に設けられている取付部３の雌ねじ３ａに螺合されるように形成されるとともに、その頭部は補助プレート２０の挿入孔２１ａよりも十分に大きく形成されている（図７、図８参照）。そして、このビス３０は、ベースプレート１の取付部３に所定の角度を保って補助プレート２０の挿入孔２１ａが挿入された後に、その補助プレート２０の挿入孔２１ａに挿入されるとともに、ベースプレート１に設けられている取付部３の雌ねじ３ａに螺合される。
【００３４】
この場合、ビス３０が雌ねじ３ａに螺合されると、補助プレート２０がベースプレート１から逸脱するのを防止することができる。また、ビス３０を雌ねじ３ａから外すと、補助プレート２０をベースプレート１から外すことができる。このように、補助プレート２０は、ベースプレート１に対して着脱自在に設けられる。
【００３５】
上記構成からなるインプラント治具１Ａは、ベースプレート１は必要に応じて第１切欠部４ａ、第２切欠部４ｂ、第３切欠部４ｃを利用して屈曲される。図５〜図１０は、第１切欠部４ａ及び第２切欠部４ｂを利用して屈曲された例を示している。すなわち、ベースプレート１は、図示の例では、第１切欠部４ａを利用して図１の矢印（ｘ１）方向へ９０度屈曲されるとともに、第２切欠部４ｂを利用して図１の矢印（ｘ２）方向へ９０度屈曲されている。なお、これら図５〜図１０においても、必要に応じて第３切欠部４ｃを利用して図２の矢印（ｘ３）方向へ、又は矢印（ｘ４）方向へ所定角度で屈曲させることができる。ここで、ベースプレート１は、切欠部４ａ、４ｂ、４ｃを利用した屈曲角度を図示の例で９０度としているが、この屈曲角度に限定されることはなく、９０度を屈曲角度の限界として０〜９０度の範囲の適宜な角度に屈曲させて使用することができる。
【００３６】
ベースプレート１は、図１に示すように、スクリュー１０ａ，１０ｂを用いて口腔内の顎骨等の骨の所定箇所にねじ止めされ、そのねじ止めされたベースプレート１の取付部３には補助プレート２０がビス３０を用いて固定される。そして、その補助プレート２０を用いて歯列の矯正が行われる（図７及び図８参照）。
【００３７】
なお、上述の例では、ベースプレート１は一方のスクリュー１０ａを取付孔２ｃに挿入させ、他方のスクリュー１０ｂを取付孔２ａに挿入させて骨に取り付けているが、これに限らず、必要に応じて３つの取付孔２ａ、２ｂ、２ｃのうちの他の２つ、例えば取付孔２ａ，２ｂ又は２ｂ，２ｃを利用して取り付けるようにしてもよい。また、２本のスクリュー１０ａ、１０ｂを使用することに制限さることはなく、１本でもよく、或いは３本で３つの取付孔２ａ、２ｂ、２ｃの全てを使用してもかまわない。
【００３８】
次に、上述したベースプレート１の作用について、図面に基づいて説明する。
図１に示すように、本実施の形態のベースプレート１では、プレート部分の長手方向の中央寄りの取付孔２ｃと取付部３との間に形成されている切欠部４ａ、４ｂ、４ｃのそれぞれ部分を中心にして当該プレート部分を任意の方向に向けて屈曲させることができるため、取付部３に取り付けられる補助プレート２０の所望の姿勢に合わせて、取付部３の位置や向きを適宜変えることが可能となる。
【００３９】
そのため、ベースプレート１をスクリュー１０ａ、１０ｂを使用して口腔内の顎骨に固定した後に、補助プレート２０の形状や用途に合わせて前記取付部３の位置を調整することができる。例えば、ベースプレート１の固定位置が所定の位置とずれた場合であっても、取付部３の位置を容易に変更することができるので、ベースプレート１を補助プレート２０に合わせて高い精度で位置決めして固定する必要がなく、大まかな位置に固定すれば良いこととなる。したがって、これらの作業が簡単になり、作業効率を向上させることができ、手間と時間を低減することが可能なる。
【００４０】
また、プレート部分における切欠部４ａ、４ｂ、４ｃの形成位置、向き、形成箇所数を変えることで、ベースプレート１を所望の形状に屈曲させることができる。
さらに、従来のように部品点数を増やさずに、補助プレート２０を所定の姿勢に位置決めすることができるので、複雑な構造にならず、コストの低減を図ることができる。
【００４１】
また、ベースプレート１のプレート部分が長尺状の簡単な形状であることから、製造及び加工が容易となるうえ、顎骨に固定する際の取り扱いも容易になるという利点がある。
【００４２】
上述のように本実施の形態による歯列矯正用のインプラント治具では、プレート部分を第１切欠部４ａ、第２切欠部４ｂ及び第３切欠部４ｃを利用して屈曲させることができるので、部品点数を増加させることなく所望の形状に容易に形成することができる。
また、本実施の形態では、プレート部分を第１切欠部４ａ、第２切欠部４ｂ及び第３切欠部４ｃの箇所で確実に、かつ容易に屈曲させることができるので、使い勝手に優れ、施術が容易になるという効果を奏する。
【００４３】
次に、本発明の歯列矯正用のインプラント治具による他の実施の形態について、添付図面に基づいて説明するが、上述の第１の実施の形態と同一又は同様な部材、部分には同一の符号を用いて説明を省略し、第１の実施の形態と異なる構成について説明する。
【００４４】
（第２の実施の形態）
次に、図１１及び図１２を用いて、第２の実施の形態によるインプラント構造Ａ２について説明する。
本第２の実施の形態のインプラント構造Ａ２が上述した第１の実施の形態のインプラント構造Ａ１と異なる点は、インプラント構造として用いられる上部構造体として帯状体の補助プレート２０であるのに対して、インプラント構造Ａ２では線状体からなる矯正用線材２３（上部構造体）が用いられていることである。
【００４５】
この矯正用線材２３は、ベースプレート１の取付部３にビス３０を用いて矯正用線材２３の基部２３ａが取り付けられるように構成されている、したがって、この基部２３ａは、補助プレート２０に設けられている挿入孔２１ａと同じ形状の挿入孔が設けられている。そして、この矯正用線材２３は、基部２３ａを中心にして１８０度方向、すなわち一直線に伸びる所定太さ及び長さからなるＳＵＳ（ステンレス）等の金属製で構成されている。
【００４６】
上記構成からなるインプラント治具Ａ２においても、ベースプレート１はインプラント治具１Ａと同一であるので、インプラント治具１Ａと同一の効果を得ることができる。
【００４７】
以上、本発明による歯列矯正用のインプラント治具の実施の形態について説明したが、本発明は上記の実施の形態に限定されるものではなく、その趣旨を逸脱しない範囲で適宜変更可能である。
例えば、本実施の形態では、インプラント治具として一方向に延びる長尺状のベースプレート１を用いた例としているが、このような形状であることに制限されることはない。例えば、平面視で十字形状、Ｙ字形状、Ｔ字形状など使用条件に応じた任意の形状のベースプレートを用いることが可能である。
【００４８】
また、本実施の形態では、ベースプレート１には３個の取付孔２ａ、２ｂ、２ｃを設けたが、これを２個又は４個以上とすることもできる。また、上記の実施の形態では、２本のスクリュー１０ａ，１０ｂを用いてベースプレート１を骨に固定したが、３本以上のスクリューを用いるようにしてもよい。
さらに、取付孔２ａ、２ｂ、２ｃの形状についても、本実施の形態に制限されることはなく、スクリューの形状等に合わせて任意に設定することができる。そのため、本実施の形態では皿ビス状の頭部を有するスクリューを採用しているが、頭部形状が略半球状のものを使用してもよい。
【００４９】
また、ベースプレート１に取り付けられる上部構造体は、上記実施の形態のように補助プレート２０や矯正用線材２３に限定されることはなく、他の形状の上部構造体を対象とすることも勿論可能である。
【００５０】
さらに、本実施の形態は、ベースプレート１の取付部３を星形としているが、このような形状であることに限定されることはない。例えば六角形、八角形等の多角形に形成され、補助プレート２０の基部２１の挿入孔２１ａもこれに対応して多角形に形成することで、補助プレートを多角形の角数に応じた異なる方向に向けて取り付けることができる。また、ベースプレート１の取付部３の数量も本実施の形態のように１つであることに制限されず、複数あってもかまわない。
【００５１】
さらにまた、上述した実施の形態ではベースプレート１の取付部３に雌ねじ３ａが形成され、この雌ねじ３ａに雄ねじ３０ａを形成したビス３０を螺着しているが、雄ねじと雌ねじが逆に形成されていてもよい。つまり、取付部３から雄ねじが突出していて、この雄ねじに雌ねじ部材（本実施の形態でビス３０に相当する部材）を螺着する構成であってもかまわない。
【００５２】
その他、本発明の趣旨を逸脱しない範囲で、上記した実施の形態における構成要素を周知の構成要素に置き換えることは適宜可能である。
【符号の説明】
【００５３】
Ａ１，Ａ２  歯列矯正用のインプラント構造
１  ベースプレート（インプラント治具）
２ａ，２ｂ，２ｃ  取付孔
３  取付部
３ａ  雌ねじ
４ａ  第１切欠部
４ｂ  第２切欠部
４ｃ  第３切欠部
４ｄ  狭小部
１０ａ，１０ｂ  スクリュー
２０  補助プレート（上部構造体）
２１  基部
２１ａ  挿入孔
２３  矯正用線材
２３ａ  基部
３０  ビス
【図１】
2014200430.tif 000003
【図２】
2014200430.tif 000004
【図３】
2014200430.tif 000005
【図４】
2014200430.tif 000006
【図５】
2014200430.tif 000007
【図６】
2014200430.tif 000008
【図７】
2014200430.tif 000009
【図８】
2014200430.tif 000010
【図９】
2014200430.tif 000011
【図１０】
2014200430.tif 000012
【図１１】
2014200430.tif 000013
【図１２】
2014200430.tif 000014